(57)【要約】【課題】本発明は、メモリーモジュールと、データ記憶領域と、共通プログラムとを含むデータ共有機能付記憶装置を提供する。【解決手段】該共通プログラムは、通信モジュール、管理モジュール、分割モジュール、及び伝送/受信モジュールを含む。管理モジュールは仲間リストを管理するためのものである。仲間リストのメカニズムでP2P技術を介して本発明で受信されたデジタルコンテンツが信頼性と安全性を確保するとともに、仲間達が任意の電子製品に、インターネットを介して連結されて、データの伝送/受信を行うことができ、効率に実際距離及び特定の電子製品等の原因で制限せず、データ共有を行う効果がある。【選択図】図2
2012048716.tif 000002
【特許請求の範囲】
【請求項１】
メモリーモジュールと、データ記憶領域と、共通プログラムとを含み、
メモリーモジュールには、基板と複数金属コンタクトポイントがあり、基板は、少なくとも記憶チップ及び制御デバイスが設けられる内表面と、外表面とを有し、これら金属コンタクトポイントは、その外表面の一端に設けられ、基板を介して憶チップ及び制御デバイスに電気的接続され、
データ記憶領域は、記憶チップに記憶されおり、共有する少なくとも1つのデジタルコンテンツを記憶するためのものであり、
該共通プログラムは、記憶チップに記憶されており、通信モジュール、管理モジュール、分割モジュール、及び伝送/受信モジュールを含み、通信モジュールは、少なくともセントラルサーバーまたは少なくとも仲間からのメッセージに対して伝送/受信が行われ、管理モジュールは、仲間達リストを管理するためのものであり、分割モジュールは、デジタルコンテンツを複数ブロックに分割され、複数ブロックに対して識別（indentifications）を順に記号付けるためのものであり、伝送/受信モジュールは、インターネットを介してデジタルコンテンツの伝送/受信を行われることを特徴とするデータ共有機能付記憶装置。
【請求項２】
該共通プログラムは、共有するデジタルコンテンツを限定するためのデータ選択モジュールを含むことを特徴とする請求項１記載のデータ共有機能付記憶装置。
【請求項３】
該伝送/受信モジュールは、別の仲間からのデジタルコンテンツに対して伝送/受信を行われることを特徴とする請求項１記載のデータ共有機能付記憶装置。
【請求項４】
仲間リストは、仲間のID情報を含むことを特徴とする請求項1記載のデータ共有機能付記憶装置。
【請求項５】
通信モジュール、管理モジュール及び伝送/受信モジュールは、ユーザーインターフェイスによって電子製品のディスプレー装置に出力されることを特徴とする請求項1記載のデータ共有機能付記憶装置。
【請求項６】
該金属コンタクトポイントは、ユニバーサルシリアルバス（USB）、ミニユニバーサルシリアルバス（Mini USB）、マイクロユニバーサルシリアルバス（Micro USB）またはイーエスエーティーエー（external Serial ATA）の少なくとも1つのデータ伝送インターフェイスに対応することを特徴とする請求項1記載のデータ共有機能付記憶装置。
【発明の詳細な説明】
【技術分野】
【０００１】
本発明は、記憶装置に関し、特にデータ共有機能付記憶装置に関する。
【背景技術】
【０００２】
インターネット時代の到来に伴い、情報共有の速度が加速され、情報技術における普及及び進歩の動きも加速された。コンピューター（computer）、通信（Communications）及び家電製品（Consumer-Electronics）などのあらゆるものは、既に消費者の生活中に広く浸透している。
その中において、携帯式記憶装置としては、フラッシュドライブ、ハードディスクまたはフラッシュメモリーを主とする装置のような記憶装置は、軽薄短小の特性を持つため、高度な移動性を備え、記憶容量がTbyteレベルの容量に増やしても、未だ増加を続ける傾向にあり、そのため、情報共有の用途においては、ますます多くの消費者に最もよく使用されている。
【０００３】
また、標準規格化のデータ伝送インターフェイスとして、例えばユニバーサルシリアルバス（USB）、ミニユニバーサルシリアルバス（Mini USB）、マイクロユニバーサルシリアルバス（Micro USB）またはイーエスエーティーエー（external Serial ATA）、及びIEEE1394等の普及で、該データ伝送インターフェイスを備える携帯式記憶装置が、消費者に受け入れてより一層広く使用される。
【０００４】
現在、消費者が携帯式記憶装置を使用する状態としては、例えばコンピューターAのデータをコンピューターB内に転送するためには、該記憶装置をコンピューターAの伝送インターフェイスに差し込み、コンピューターAのデータを該記憶装置に複写し、データの複写動作が完了した後、コンピューターAから記憶装置を抜き取り、さらに記憶装置をコンピューターBの伝送インターフェイスに差し込み、記憶装置に記憶されたデータをコンピューターBへと複写または移動し、該データの複写または移動動作が完了した後、データがコンピューターAからコンピューターBへの共有する動作が終了される。
【０００５】
しかし、このようなコンピューター間でファイルの伝送方法に存在する問題では、（1）コンピューター間の実際距離に制限されて、効率的でただちにデータ共有を行うことができない（2）上記のようなデータ伝送過程は、二階段方式での「コピー・インとコピー・アウト」により、記憶装置で同一データを2回伝送する必要があり、明らかに伝送効率が二分の一だけである。
【０００６】
なお、ピアツーピア（Peer to Peer；P2P）ネットワークは分散式技術を利用するネットワークである。その技術応用がネットワークでの参与者（仲間；Peer）の計算能力とバンド幅に依存しており、データ伝送作業を少数の数台のサーバーに集中することはない。P2Pネットワークの重要な特色では、あらゆる仲間（伝送仲間または受信仲間）は、記憶領域と計算能力とを含む資源を提供する。従って、ある仲間を加入するとシステムに対する要求が増え、全システムの容量も増大される。このようなネットワークは、多種類のタイプに応用可能で、ドキュメントが他の内容と共有されるP2Pネットワークを提供して用いる、例えば各種のファイル共有ソフトウェア（各種画像、音声またはデータのフォーマット等のようなドキュメント）は、すでに広範な応用が始まっている。
【０００７】
しかし、P2Pが強大な機能を有するが、問題の存在は（1）今までのP2P技術でデータ/ファイル共有を行うソフトウェアは、移動性の比較的低いコンピュータ（例えば、パソコン）に設けられるため、ユーザーがコンピュータに離れると、データ/ファイルの伝送を行うことができなく、ユーザーの使用に対して不便であり、（2）P2Pがピアツーピア式によるデータ共有の方式であるため、制御メカニズムを欠き、ネットワークでサーバーを利用して目次の作用を実現されるとしても、有効的に共有データ毎の正確性を確認することができない。従って、データに対する信頼性と安全性の問題を存在している。
【先行技術文献】
【特許文献】
【０００８】
【特許文献１】特許公表２００２−５２８８２１号公報
【発明の開示】
【発明が解決しようとする課題】
【０００９】
上記問題を解決するため、本発明は、メモリーモジュールと、データ記憶領域と、共通プログラムとを含むデータ共有機能付記憶装置を提供する。該共通プログラムは、通信モジュール、管理モジュール、分割モジュール、及び伝送/受信モジュールを含む。管理モジュールは仲間達リストを管理するためである。
【００１０】
少なくとも二つの記憶装置がそれぞれコンピュータに差し込んでインターネットを介してセントラルサーバーにログインした後、「仲間（Peer）」と見なされ、仲間同志の身分（ID情報）が確認され、互いにファイル共有を同意し示して、仲間のグループが形成され、セントラルサーバーヘ仲間のリスト（目次形態）を与える。従って、該仲間グループの少なくとも一人仲間がセントラルサーバーにリクエストを求め出す時、その仲間が「受信仲間」とみなし、該仲間のグループにおいて、受信仲間にリクエストされるファイルを有する他の仲間が「伝送仲間」とみなす。
【００１１】
特に本発明に強調される通信モジュールには、仲間達リストがある。仲間それぞれに自分の仲間リストを有し、すなわち仲間グループとなる。なお、該仲間リストがセントラルサーバーにアップロードされ、該仲間達リストに対して纏めて管理を行われる。従って、本発明は仲間達リストのメカニズムでファイル共有を行う必要がある。
【００１２】
従って、本発明の主な目的は、仲間リストのメカニズムで、仲間間（伝送仲間と受信仲間）がファイル共有を行われ、受信したデータの信頼性と安全性を確保された。
【００１３】
本発明の他の目的は、仲間達が任意の電子製品にインターネットを介して連結されて、データの伝送/受信を行われ、効率に実際距離及び特定の電子製品等の原因で制限せず、データ共有を行う効果がある。
【課題を解決するための手段】
【００１４】
上記の目的を達成するため、本発明に使用する主な技術は、以下の技術手段によって実現される。本発明は、メモリーモジュールと、データ記憶領域と、共通プログラムとを含むデータ共有機能付記憶装置である。該メモリーモジュールには、基板と複数金属コンタクトポイントがある。基板は、少なくとも記憶チップ及び制御デバイスが設けられる内表面と、外表面とを有する。これら金属コンタクトポイントは、その外表面の一端に設けられ、基板を介して記憶チップ及び制御デバイスに電気的接続される。なお、データ記憶領域は、該記憶チップに記憶されており、共有とする少なくとも1つデジタルコンテンツを記憶するためのものである。なお、該共通プログラムは、記憶チップに記憶されており、通信モジュール、管理モジュール、分割モジュール、及び伝送/受信モジュールを含む。該通信モジュールは、少なくともセントラルサーバーまたは少なくとも仲間からのメッセージに対して伝送/受信が行われる。該管理モジュールは、仲間達リストを管理するためのものである。該分割モジュールは、デジタルコンテンツを複数ブロックに分割し、該複数ブロックに対して識別（indentifications）を順に記号付けるためのものである。該伝送/受信モジュールは、インターネットを介してデジタルコンテンツの伝送/受信を行う。
【００１５】
本発明の目的及び技術問題の解決は、以下の技術措置を利用してさらに実現することができる。
前記のデータ共有機能付記憶装置において、該共通プログラムは、共有するデジタルコンテンツを限定するためのデータ選択モジュールを含む。
前記のデータ共有機能付記憶装置において、該伝送/受信モジュールは、別の仲間からのデジタルコンテンツに対して伝送/受信を行われる。
前記のデータ共有機能付記憶装置において、仲間リストは、仲間のID情報を含む。
前記のデータ共有機能付記憶装置において、通信モジュール、管理モジュール及び伝送/受信モジュールは、ユーザーインターフェイスによって電子製品のディスプレー装置に出力される。
前記のデータ共有機能付記憶装置において、該金属コンタクトポイントはユニバーサルシリアルバス（USB）、ミニユニバーサルシリアルバス（Mini USB）、マイクロユニバーサルシリアルバス（Micro USB）またはイーエスエーティーエー（external Serial ATA）の少なくとも1つのデータ伝送インターフェイスに対応する。
【発明の効果】
【００１６】
従来技術に比べ、本発明の効果は、（1）仲間達リストのメカニズムで、ファイル共有を行い、受信するデータが信頼性と安全性とを確保され、（2）仲間達が任意の電子製品に、インターネットを介して連結されて、データの伝送/受信を行うことができ、効率に実際距離及び特定の電子製品等の原因で制限せず、データ共有を行う。
【発明を実施するための最良の形態】
【００１７】
発明の目的、特徴及び効果を明らかにするため、以下に本発明の好ましい実施形態を挙げる。図1〜図3は発明の主な実施形態によるデータ共有機能付記憶装置である。
図1〜図3に示すように、本発明のデータ共有機能付記憶装置は、メモリーモジュール10と、データ記憶領域20と、共通プログラム30とを含む。
【００１８】
まず、図1を参照し、メモリーモジュール10は、基板上にチップをパッケージされる（Chip-On-Board，COB）タイプであリ、基板11と、複数金属コンタクトポイント12とを含む。該基板は、内表面111及び外表面112を有する。内表面111は、少なくとも記憶チップ13及び制御デバイス14が設けられ、ワイヤボンディングによって形成されたボンドワイヤ或いはフリップ・チップ接続技術により、基板11に電気的に接続される（図示せず）。これらの金属コンタクトポイント12は、その外表面112の一端に設けられる。該基板11は、電気伝達インターフェイスとすることが可能で、内部に電気回路（図示せず）を有する両面導通の高密度な多層プリント配線板であリ、該金属コンタクトポイント12が基板11を介して記憶チップ13及び制御デバイス14に電気的接続される。好ましくは、金属コンタクトポイント12はユニバーサルシリアルバス（USB）、ミニユニバーサルシリアルバス（Mini USB）、マイクロユニバーサルシリアルバス（Micro USB）またはイーエスエーティーエー（external Serial ATA）の少なくとも1つのデータ伝送インターフェイスに対応する。この実施形態では、金属コンタクトポイント12がユニバーサルシリアルバス（USB）に対応するコネクタによって説明する。なお、該記憶チップ13は、フラッシュメモリー（FLASH）、SRAM (Static-Random-Access-Memory)、ASIC（Application-Specific-Integrated-Circuit）、SDRAM（Synchronous-Dynamic-Random-Access-Memory）のタイプであることができる。
【００１９】
図2〜図3を参照し、データ記憶領域20及び共通プログラム30は、該記憶チップ13中に設置され、制御デバイス14によって電子製品間で指令の伝送を行われる。好ましくは、データ記憶領域20及び共通プログラム30は、ユーザーインターフェイス61で電子製品のディスプレー60に現れる。データ記憶領域20は、共有とする少なくとも1つデジタルコンテンツを記憶するためのものであり、本発明のデータ共有機能付記憶装置に記憶されたデジタルコンテンツがデータ共有とする用途にあらかじめセットされる。しかし、好ましくは、共通プログラム30は、共有するデジタルコンテンツを限定するためのデータ選択モジュール35を含む。さらに、データ選択モジュール35は、データフォルダの形態で保存可能であるが、データフォルダの形態に制限されることではなく、すなわち、ユーザーが共有するデジタルコンテンツをデータフォルダに記憶すると、データフォルダに記憶されないデジタルコンテンツは、公開で共有されることができない。
【００２０】
なお、共通プログラム30も通信モジュール31、管理モジュール32、分割モジュール33、及び伝送/受信モジュール34を含む。通信モジュール31は、セントラルサーバー40または仲間50’からのメッセージに対して伝送/受信を行う。管理モジュール32は仲間IDを含む仲間リスト321を管理するためのものである。分割モジュール33は、デジタルコンテンツを複数ブロックに分割され、該複数ブロックに対して識別（indentifications）を順に記号付けるためのものである。該信/受信モジュール34は、インターネットを介してデジタルコンテンツの伝送/受信を行う。
【００２１】
具体的には、本発明のデータ共有機能付記憶装置では、実際操作に対して、P2Pメカニズムを基礎とする各種異なるタイプのトポロジー構造に限られるものではない。本発明の主張には、仲間リスト321に基づいて、P2P技術メカニズムでデータ共有を行われる。
【００２２】
この実施形態には、ユーザーが任意の電子製品、例えばコンピューターに差し込み、インターネットを介して連結されて、少なくとも1つのセントラルサーバーにログインした後、該記憶装置が仲間50となる。次に仲間50と別の仲間50’が双方の身分を確認して、相手を自分の仲間リスト321に加入することが同意された時、互いにファイル共有を同意して示す。本例には、この時に仲間50’が仲間50に持つ仲間リスト321中に存在される。好ましくは、該管理モジュール32の仲間リスト321が電子製品のディスプレー60に出力することができ、ユーザーインターフェイス61で仲間50（ユーザー）が仲間リスト321に対して削除または増加の操作を行うことができる。
【００２３】
ユーザーがデジタルコンテンツを共有とする時、共通プログラム30の割モジュール33がデジタルコンテンツを複数ブロックに分割され、これらのブロックに対して識別（indentifications）を順に記号付ける。次に、共通プログラム30の通信モジュール31が仲間リスト321の仲間ID情報とデジタルコンテンツを共有とするファイルリスト等の情報をセントラルサーバー40に伝送される。ファイルリストは、ファイル名、ファイルサイズ、ファイル識別またはファイルの作成時刻等の情報を含む。好ましくは、該通信モジュール31は、電子製品のディスプレー60に出力し、ユーザーインターフェイス61で仲間50（ユーザー）が関連する情報のセントラルサーバーへの伝送動作を実行する。
【００２４】
従って、別の仲間50’がセントラルサーバーにログインし、ユーザーインターフェイス61で該通信モジュール31を起動されセントラルサーバーに対して特定デジタルコンテンツのリクエストを求めた後、この時、該仲間50’が受信仲間となる。次に該セントラルサーバー40は、受信仲間の仲間リスト321中に特定デジタルコンテンツを持つ仲間50を求め出し、受信仲間に特定デジタルコンテンツを持つ仲間50の関連情報、例えば仲間ID情報とファイルリスト等のメッセージを返信され、この時、該仲間50が伝送仲間となる。なお、特定デジタルコンテンツがピクチャー、映像、音声、文字等の内容であるが、これらに限られるものではない。
【００２５】
次に、受信仲間の通信モジュール31と伝送仲間の通信モジュール31は、インターネットを介して連結され、この後、伝送仲間の伝送/受信モジュール34が受信仲間ヘ該特定デジタルコンテンツの伝送動作を行われることに対し、該受信仲間の伝送/受信モジュール34が伝送仲間からの該特定デジタルコンテンツに対する受信動作を行われる。好ましくは、該伝送/受信モジュール34が電子製品のディスプレー60に出力することができ、ユーザーインターフェイス61で伝送仲間または受信仲間（ユーザー）がデジタルコンテンツに対する伝送または受信動作を実行する。
【００２６】
ここから分かるように、本発明はP2P技術及び仲間リストのメカニズムでそれぞれの仲間が伝送仲間または受信仲間になる。なお、一人仲間が同時に伝送仲間または受信仲間に対して伝送または受信の動作を行われる。さらに、一人仲間が伝送仲間となる時、同時にデジタルコンテンツを数人の受信仲間に伝送することができ、一人仲間が受信仲間となる時、同時に数人の伝送仲間のジタルコンテンツを受信されることができる。
【００２７】
以上述べてきたように、本発明は、仲間リストのメカニズムで、P2P技術により得られる効果は、（1）受信したジタルコンテンツが信頼性と安全性を有し、（2）仲間達が任意の電子製品に、インターネットを介して連結されて、データの伝送/受信を行うことができ、効率に実際距離及び特定の電子製品等の原因で制限せず、データ共有を行う。
【００２８】
しかし、P2P技術が多種異なるトポロジータイプを有するため、従って、仲間またはセントラルサーバー間の通信プロセス及び必要な情報が異なるものになる。しかし、本発明は特定P2P技術のトポロジータイプに限られることではない。仲間リストのメカニズムで本発明における明細書、特許請求の範囲または図面等に応用される機構の等価変形は、当然、本発明の特許権主張範囲内に含まれる。
【００２９】
従って、本発明の効能が一般的な記憶装置と異なるものであり、同類製品の内に創始を属して発明特許の要素に符合することができて、法的権利によって出願を提出される。
【００３０】
ただし、以上述べてきたのは本発明の好ましい実施の形態だけであり、本発明における明細書、特許請求の範囲または図面等に対する機構の等価変形は、当然、本発明の特許権主張範囲内に含まれる。従って、本発明に保護される範囲は、以下に添付する特許請求の範囲を出願されたものに準拠する。
【図面の簡単な説明】
【００３１】
【図１】本発明のデータ共有機能付記憶装置の構成の断面図。
【図２】本発明のデータ共有機能付記憶装置のブロック図。
【図３】本発明のデータ共有機能付記憶装置の操作の概略図。
【符号の説明】
【００３２】
10：モリーモジュール
11：基板
111：内表面
112：外表面
12：金属コンタクトポイント
13：記憶チップ
14：制御デバイス
20：データ記憶領域
30：共通プログラム
31：通信モジュール
32：管理モジュール
321：仲間リスト
33：分割モジュール
34：伝送/受信モジュール
35：データ選択モジュール
40：セントラルサーバー
50：仲間
50’：仲間
60：電子製品のディスプレー
61：ユーザーインターフェイス
【図１】
2012048716.tif 000003
【図２】
2012048716.tif 000004
【図３】
2012048716.tif 000005